【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】  電子番組予定であって、
a. コンテンツプロバイダを記載するソースフィールドと、
b. コンテンツデータが前記コンテンツプロバイダから利用可能であるときに時間に対応する可変な番組時間の第１のセットを記載するコンテンツフィールドとを備え、このコンテンツフィールドが、番組時間による記載事項の第１のセットに対応するコンテンツプロバイダから利用可能な番組タイトルを記載するように構成されている電子番組予定。
【請求項２】  請求項１の電子番組予定において、前記ソースフィールド及び前記コンテンツフィールドが番組時間を有する記載事項の第１のセットに対応する前記コンテンツプロバイダから利用可能な番組タイトルを記載するように構成されている電子番組予定。
【請求項３】  請求項１の電子番組予定において、前記コンテンツフィールド内に記載事項の第２のセットを更に備える電子番組予定。
【請求項４】  請求項３の電子番組予定において、コンテンツデータの第２のセットが前記コンテンツプロバイダから利用可能なときに、記載事項の第２のセットが、時間に対応する番組時間を記載する電子番組予定。
【請求項５】  請求項４の電子番組予定において、前記記載事項の第２のセットが、コンテンツデータの第２のセットに対応する番組タイトルを更に記載する電子番組予定。
【請求項６】  請求項１の電子番組予定において、少なくとも１つのコンテンツプロバイダから利用可能な前記コンテンツデータの部分の詳細な説明を表示するデスクリプタフィールドを更に備える電子番組予定。
【請求項７】  請求項６の電子番組予定において、前記コンテンツデータの前記部分がユーザーにより選択される電子番組予定。
【請求項８】  請求項１の電子番組予定において、少なくとも１つのフィルタ選択を有するフィルタフィールドを更に備え、各フィルタ選択が、前記ソースフィールド内に記載されたコンテンツプロバイダを選択するように構成される電子番組予定。
【請求項９】請求項１の電子番組予定において、少なくとも１つのフィルダ選択を有するフィルタフィールドを更に備え、各フィルタ選択が、前記ソ−スデータフィールド内に記載された番組タイトルを選択するように構成される電子番組予定。
【請求項１０】請求項１の電子番組予定において、前記コンテンツプロバイダから利用可能なコンテンツデータを検索する検索フィールドを更に備える電子番組予定。
【請求項１１】請求項１の電子番組予定において、少なくとも１つのネットワーク化機器のリストを与える機器フィールドを更に備える電子番組予定。
【請求項１２】  請求項１１の電子番組予定において、前記機器フィールドが、各ネットワーク化機器の状態を記載するように構成されている電子番組予定。
【請求項１３】  請求項１１の電子番組予定において、各ネットワーク化機器を選択的に操作するコントロールフィールドを含む電子番組予定。
【請求項１４】  予定化コンテンツプロバイダ及び即時回答コンテンツプロバイダから利用可能な番組を同時に表示する電子番組予定であって、
a. 前記予定化コンテンツプロバイダを記載し、且つ前記即時回答コンテンツプロバイダを記載するソースフィールドと、
b. 前記予定化番組プロバイダから利用可能番組及び可変番組時間を記載するコンテンツフィールドとを備える電子番組予定。
【請求項１５】  請求項１４の電子番組予定において、前記ソースフィールドが、前記コンテンツプロバイダを第１列内に記載し、且つ対応する利用可能番組を隣接する第２列へ記載する電子番組予定。
【請求項１６】  請求項１５の電子番組予定において、前記コンテンツフィールドが、付加的な利用可能番組を記載する第３列を更に備える電子番組予定。
【請求項１７】  請求項１４の電子番組予定において、前記コンテンツフィールドが、選択された利用可能番組の説明を与えるように構成されている電子番組予定。
【請求項１８】  請求項１４の電子番組予定において、前記利用可能番組がコントロールデバイスにより選択可能である電子番組予定。
【請求項１９】  請求項１４の電子番組予定において、前記ソースフィールド内に記載されたコンテンツプロバイダをフィルタリングする少なくとも１つのフィルタ選択を有するフィルタフィールドを更に備える電子番組予定。
【請求項２０】  請求項１４の電子番組予定において、前記コンテンツフィールド内に記載された利用可能番組をフィルタリングする少なくとも１つのフィルダ選択を有するフィルタフィールドを更に備える電子番組予定。
【請求項２１】  請求項１４の電子番組予定において、前記コンテンツプロバイタから利用可能番組を検索する検索フィールドを更に備える電子番組予定。
【請求項２２】  請求項２１の電子番組予定において、選択されたコンテンツプロバイダから利用可能番組を検索するように構成された検索フィールドを更に備える電子番組予定。
【請求項２３】  請求項１４の電子番組予定において、前記コンテンツフィールドが更に、少なくとも１つの機器と、この少なくとも１つ機器に対応する状態とを記載するように構成されている電子番組予定。
【請求項２４】  請求項２２の電子番組予定において、前記少なくとも１つの機器を選択的に制御する制御フィールドを更に備える電子番組予定。
【請求項２５】コンテンテンツデータをユーザーへ与えるシステムであって、
a. 利用可能コンテンツデータを表示する表示可能番組予定と、
b. 前記表示可能番組予定から利用可能コンテンツデータを選択するコントローラとを備え、その表示可能番組予定はユーザー選好から生成され、前記ユーザー選好が、複数のコンテンツプロバイダから選択されたコンテンツプロバイダを含むシステム。
【請求項２６】  請求項２５のシステムにおいて、前記表示可能番組予定が周期的に更新されるシステム。
【請求項２７】  請求項２６のシステムにおいて、前記表示可能番組予定が前記番組予定から選択されたコンテンツデータに基づいて更新されるシステム。
【請求項２８】  請求項２５のシステムにおいて、前記表示可能番組予定がモニタ上に表示可能であるシステム。
【請求項２９】  請求項２５のシステムにおいて、前記コントローラがスクリーンを含み、前記コンテンツデータがスクリーンを通じて選択されているシステム。
【請求項３０】  請求項２８のシステムにおいて、前記コントローラが、マウス、キーボード、及び赤外線リモートからなるグループから選択されたデバイスを含むシステム。
【請求項３１】  請求項２５のシステムにおいて、ユーザー選好が前記表示可能番組予定から選択された利用可能コンテンツデータに基づいて自動的に更新されるシステム。
【請求項３２】  請求項２５のシステムにおいて、前記利用可能コンテンツデータがディジタルビデオ番組を含むシステム。
【請求項３３】  請求項２５のシステムにおいて、前記利用可能コンテンツデータが予定された番組を含むシステム。
【請求項３４】  請求項２５のシステムにおいて、前記ユーザー選好が、ウェブサーバーデーデータベースにおいて記憶されており、前記表示可能番組予定がネットワーク上で少なくとも１つの遠隔ユーザーロケーションから視認できるように構成されているシステム。
【請求項３５】  番組予定システムであって、
a) カスタム化された電子番組予定を生成する手段を備え、この手段はインターネット上のウェブサーバー上で操作可能なグラフィックインターフェースを含み、前記システムは更に、
b) 前記カスタム化された電子番組予定から番組を選択する手段を備え、前記カスタム化された電子番組予定は、事前に選択された複数のコンテンツプロバイダから利用可能番組を表示するシステム。
【請求項３６】請求項３５のシステムであって、前記番組を選択する前記手段が、インターネット機器を含むシステム。
【請求項３７】  請求項３６のシステムであって、前記インターネット機器がパーソナルコンピュータであるシステム。
【請求項３８】  番組を予定化する方法であって、
a. 番組選好を生成する段階と、
b. 前記番組選好に基づいて複数のコンテンツプロバイダから番組を分類する段階と、
c. 予定番組内の前記分類された番組を表示する段階と、
d. 前記分類された番組から番組を送信し、ユーザーが前記番組予定から前記番組を選択することにより開始される段階とを含む方法。
【請求項３９】  請求項３８の方法であって、前記番組が前記インターネット上でユーザーロケーションへ送信される方法。
【請求項４０】  請求項３９の方法であって、前記番組が、ネットワーク上でこのネットワークへ接続されたインターネット機器へ送信される方法。
【請求項４１】  請求項４０の方法であって、前記番組が、ディジタルビデオ番組である方法。
【請求項４２】  請求項４１の方法であって、前記ディジタルビデオ番組が、前記インターネット機器へ接続される記憶デバイスへダウンロードされている方法。